(57)【要約】【課題】  当該系統は、革新的に血管壁修復において修復パーツを血管壁に直接接着する方案を採用し、系統構造が簡単、操作が便利で、且つ、コストがより低い。【解決手段】  本発明は、血管壁修復系統を開示し、主に、修復パーツ（1）、前記修復パーツ（1）を解脱に載せる輸送装置（2）を含む。前記修復パーツ（1）は前記血管壁を向いた第一側が第一接着層（3）を有する。その中で、前記輸送装置（2）は、前記修復パーツ（1）を修復待ちの位置に輸送した後、前記修復パーツ（1）を前記血管壁に突き押すことができ、前記修復パーツ（1）が前記第一接着層（3）を通して前記血管壁に接着するようにさせる。
2019500987.tif 000002
【特許請求の範囲】
【請求項１】
血管壁修復系統であって、前記血管壁修復系統は、
修復パーツ（1）、
および前記修復パーツ（1）を容易に載せる輸送装置（2）、を含み、
前記修復パーツ（1）は前記血管壁を向いた第一側が第一接着層（3）を有する、その中で、前記輸送装置（2）は、前記修復パーツ（1）を修復待ちの位置に輸送した後、前記修復パーツ（1）を前記血管壁に突き押すことができ、前記修復パーツ（1）が前記第一接着層（3）を通して前記血管壁に接着するようにさせる、ことを特徴とする。
【請求項２】
前記輸送装置（2）はバルーンである、ことを特徴とする
請求項１に記載の血管壁修復系統。
【請求項３】
前記修復パーツ（1）と前記第一側に反する第二側は第二接着層（4）を有する、前記修復パーツ（1）は、前記第二接着層（4）を通して前記輸送装置（2）に接着し、且つ、前記第二接着層（4）の接着力が前記第一接着層（3）の接着力より小さいである、ことを特徴とする
請求項1または請求項2に記載の血管壁修復系統。
【請求項４】
前記修復パーツ（1）はポリテトラフルオロエチレンから作られる、ことを特徴とする
請求項1に記載の血管壁修復系統。
【請求項５】
前記第一接着層（3）および/または前記第二接着層（4）は、生体コロイド材料を含む、ことを特徴とする
請求項1に記載の血管壁修復系統。
【請求項６】
前記修復パーツ（1）および/または前記第一接着層（3）は、光硬化材料を含む、ことを特徴とする
請求項1または5のいずれか１項に記載の血管壁修復系統。
【請求項７】
前記血管壁修復系統は、光源も含み、前記輸送装置（2）が透光性パルーンであり、前記光源が透光性パルーンの中に設置される、ことを特徴とする
請求項6に記載の血管壁修復系統。
【請求項８】
前記第一接着層（3）の上に解脱できる離型膜（5）が被覆される、ことを特徴とする
請求項1または請求項5のいずれか１項に記載の血管壁修復系統。
【請求項９】
前記血管壁修復系統は、離型膜（5）の上に接続された制御ガイドワイヤー（6）も含み、前記ガイドワイヤー（6）を通じて前記離型膜（5）を前記第一接着層（3）ら解脱することができる、ことを特徴とする
請求項8に記載の血管壁修復系統。
【発明の詳細な説明】
【技術分野】
【０００１】
本発明は、血管壁の修復分野に関し、具体的には血管壁の修復系統に関する。
【背景技術】
【０００２】
今時、心・脳血管疾患は多発の態勢を呈している。その中で、その自身に病変があった原因、および画像下治療の過程で誤って傷つけたため、血管壁に損傷が生じる。このような損傷に対し、被覆膜スタントを採用して修復することができる。その中で、被覆膜スタント技術は、スタント本体の構造設計にかかわり、被覆膜スタントの埋入系統の設計にも関連し、構造が複雑で、操作が煩雑で、且つ、コストがより高い。
【発明の概要】
【発明が解決しようとする課題】
【０００３】
本発明の目的は、構造が簡単で、操作が便利である血管壁修復系統を提供することである。
【課題を解決するための手段】
【０００４】
上述目的を実現させるため、本発明は、血管壁修復系統を提供する。前記系統は、修復パーツ、および前記修復パーツを容易に載せる輸送装置を含む。
【０００５】
前記修復パーツは前記血管壁を向いた第一側が第一接着層を有する。その中で、前記輸送装置は、前記修復パーツを修復待ちの位置に輸送した後、前記修復パーツを前記血管壁に突き押すことができ、前記修復パーツが前記第一接着層を通して前記血管壁に接着するようにさせる。
【０００６】
好ましく、前記輸送装置はバルーンである。
【０００７】
好ましく、前記修復パーツと前記第一側に反する第二側は第二接着層を有する。前記修復パーツは、前記第二接着層を通して前記輸送装置に接着し、且つ、前記第二接着層の接着力が前記第一接着層の接着力より小さい。
【０００８】
好ましく、修復パーツはポリテトラフルオロエチレンから作られる。
【０００９】
好ましく、第一接着層および/または第二接着層は、生体コロイド材料を含む。
【００１０】
好ましく、第一接着層は、光硬化材料を含む。
【００１１】
好ましく、血管壁修復系統は、光源も含み、輸送装置が透光性パルーンであり、光源が透光性パルーンの中に設置される。
【００１２】
好ましく、第一接着層の上に解脱できる離型膜が被覆される。
【００１３】
好ましく、血管壁修復系統は、離型膜の上に接続された制御ガイドワイヤーも含み、前記ガイドワイヤーを通じて前記離型膜を第一接着層から解脱することができる。
【発明の効果】
【００１４】
上述技術方案を通じ、本発明は、革新的に血管壁修復において修復パーツを血管壁に直接接着する方案を採用し、系統構造が簡単、操作が便利で、且つ、コストがより低い。
【００１５】
本発明の他の特徴および利点は、その後の発明を実施するための形態の部分にて詳しく説明する。
【図面の簡単な説明】
【００１６】
図面は、本発明へのさらなる理解を提供し、且つ明細書の一部を構成し、下記の具体的な実施形態と共に本発明を解釈するが、本発明を制限するものではない。本図面の中において、
【図１】図１は本発明の好ましい実施形態が提供した血管壁修復系統の構造概略図である。
【図２】図２は本発明の好ましい実施形態が提供した修覆パーツの断面構造概略図である。
【発明を実施するための形態】
【００１７】
以下は、本発明を実施するための具体的な形態について詳しく説明する。理解せねばならないのは、上記具体的な実施形態は、本発明を説明し解釈するためのものであり、本発明を限定するものではない。
【００１８】
本発明において、相反的な説明をしない限り、使用した方位詞、例えば、「内、外」は、相応する部品輪郭の内と外を指す。「遠、近」は、血管壁修復時の人体介入点に基づき定義したものであり、即ち、介入点から離れた方向を「遠」とし、介入点に接近する方向を「近」とする。
【００１９】
図1と図2に示す通り、本発明の実施形態は、血管壁修復系統を提供し、前記系統は、修復パーツ1、前記修復パーツ1を解脱に載せる輸送装置2を含む。修復パーツ1は前記血管壁を向いた第一側が第一接着層3を有する。その中で、輸送装置2は、修復パーツ1を修復待ちの位置に輸送した後、修復パーツ1を血管壁に突き押すことができ、修復パーツ1が第一接着層3を通して血管壁に接着するようにさせる。従来の被覆膜スタント修復方式と比べ、系統構造が簡単、操作が便利で、且つ、コストがより低い。
【００２０】
本実施形態において、修復パーツ1に対する積載、運輸及び突き押しを容易に完成させるため、好ましく、輸送装置2はバルーンである。バルーンは修復パーツ1を持って修復待ちの血管壁に移った時、バルーンの拡張を通じて修復パーツ1に対する突き押しの血管壁上の動作を完成させる。これにより、第一接着層3の接着性を利用し、修復パーツ1を血管壁上に接着させるよう実現し、血管壁の修復を完成させる。パルーン装置は、画像下治療分野において公知的器械であるため、ここでは、その血管中の移動、拡張、収縮などの操作については詳しく説明しない。
【００２１】
また、修復パーツ1が解脱に輸送装置2の上に載せることを実現させるため、好ましく、図2の示す通り、修復パーツ1と第一側に反する第二側は第二接着層4を有する。修復パーツ1は、第二接着層4を通じて輸送装置2の上に接着し、且つ、第二接着層4の接着力が第一接着層3の接着力より小さい。従って、修復パーツ1が第一接着層3を通じて血管壁に接着した時、輸送装置2は修復パーツ2から解脱することができる。
【００２２】
また、他の実施形体において、修覆パーツ1が輸送装置2から解脱できる積載方式は、他にも多くの種類がある。例えば、スライド接続構造、具体的には輸送装置2の上に収容槽が設置される。前記収容槽が輸送装置2の運動方向上にある少なく一端に修復パーツ1が滑り出す開け口が設置される。修覆パーツ1が血管壁の上に接着された時、遠くまたは近くに輸送装置2を移動させれば、修復1が収容槽から滑り出すことを実現できる。前記収容槽は、スライド接続機能を有するT型槽またはありみぞ構造である。
【００２３】
本実施形態において、修復パーツ1の材質は、現有技術中の被覆膜スタントの被覆膜材料を採用してもよい。例えば、ポリテトラフルオロエチレンから作られた材料は、修復機能を果たすことができ、且つ、人体を傷つけることができない。また、上述の第一接着層3と第二接着層4に含まれた接着性の材料は、人体に無害である各種のコロイド、例えば、生体コロイドにしてもよい。
【００２４】
また、ある治療においては、修復パーツ1が血管の跳ね返りを克服する必要がある。この問題に対し、本実施形態が提供した修復パーツ1は、通常状態において柔軟性を有し、また、必要とされる時、固化することができる。この材料は、本発明において好ましく光硬化材料であり、即ち、修復パーツ1または第一接着層3の中に光硬化材料、例えばUV樹脂が含まれる。これにより、必要な時に、例えば紫外LED光源を使用して照射すれば、修復パーツ1が血管壁に固化することができ、血管の跳ね返り問題を克服する。
【００２５】
それに応じ、修復パーツ1に対する照射を実現させるため、欠陥壁修復系統は、光源も含む。例えば、紫外線を生成できるLEDを通じ、また操作を便利にさせるため、輸送装置2は、透光性パルーンに設計されてもよい。これにより、光源を透光性パルーンの中に設置することができ、修復パーツの輸送を実現でき、修復パーツの選択可能な固化も実現できる。その中で、光源制御は、ワイヤーおよびワイヤレスの方式を採用でき、そのうち、関わった配線がバルーンのガス供給パイプ、液体供給パイプに設置されてもよい。本発明の実施形態中のバルーンは、二酸化炭素充填のバルーンにしてもよい。
【００２６】
また、血管壁に接着する前に、第一接着層3が他の物質に接着することを避けるため、好ましく、前記第一接着層3の上に解脱できる離型膜5が被覆される。これにより、接着機能を果たさせる時こそ、離型膜5を除去し、修復パーツ1が血管壁に接着する効果を十分に保証できる。具体的には、血管壁修復系統は、離型膜5に接続された制御ガイドワイヤー6も含み、前記制御ガイドワイヤー6に対する制御を通じ、前記離型膜6を第一接着層3から解脱することができる。具体的には、制御ガイドワイヤー6の遠位端部は離型膜と接続し、近位端部は人体外へ延伸すればよい、対外端部を操作すること、例えば、引きずる操作を通じ、離型膜を第一接着層3から離脱させることを実現できる。
【００２７】
以上、図面に合わせて本発明の好ましい実施形態を詳しく説明した。しかし、本発明は、上述実施形態中の具体的な細かいところに限定するものではない。本発明の技術構想範囲において、本発明の技術方案に対し数種の簡単な変形を行うことができ、これらの簡単な変形は、全て本発明の保護範囲に含まれる。
【００２８】
また、説明せねばならないのは、上述の具体的な実施形態に言及された各具体的な技術特徴は、矛盾しない前提で、いかなる適宜な方式を通じて組み合わせることができる。不必要な重複を避けるため、本発明は、各種の可能な組み合わせ方に対し、別途説明を行わない。
【００２９】
他には、本発明の各種の異なる実施形態の間においても任意の組み合わせを行うことができる。本発明の思想に違反しなければ、それが本発明の公開した内容とみなされる。
【符号の説明】
【００３０】
1    修復パーツ    2    輸送装置
3    第一接着層    4    第二接着層
5    離型膜        6    制御ガイドワイヤー
【図１】
2019500987.tif 000003
【図２】
2019500987.tif 000004
【国際調査報告】
2019500987.tif 000005
2019500987.tif 000006
2019500987.tif 000007
2019500987.tif 000008